【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
複数の音声報知に係るデータを記憶する第１記憶手段と、走行中に音声報知を要する事象が発生した場合、音声出力手段を介して該事象に応じた音声報知を出力する制御手段と、を有するナビゲーション装置であって、
前記ナビゲーション装置は、更に前記複数の音声報知毎の標準開始ポイントである第１開始ポイントと、該第１開始ポイントで出力しようとする音声報知が他の音声報知と重複する場合に開始ポイントを変更できる変更範囲を記憶した第２記憶手段と、を備えたことを特徴とするナビゲーション装置。
【請求項２】
前記変更範囲は、前記第１開始ポイントよりも手前で音声報知を行う第２開始ポイントと、前記第１開始ポイントよりも後で音声報知を行う第３開始ポイントであることを特徴とする請求項１に記載のナビゲーション装置。
【請求項３】
前記制御手段は、前記第１開始ポイントで出力しようとする音声報知が前記変更範囲を設けた他の音声報知と重複する場合、該他の音声報知の第１開始ポイントを前記第２開始ポイントまたは第３開始ポイントに変更することを特徴とする請求項１に記載のナビゲーション装置。
【請求項４】
前記制御手段は、前記第１開始ポイントで出力しようとする音声報知が前記変更範囲を設けていない他の音声報知と重複する場合、前記第１開始ポイントで出力しようとする音声報知が前記変更範囲を設けているのであれば、該音声報知の第１開始ポイントを前記第２開始ポイントまたは第３開始ポイントに変更することを特徴とする請求項１から３の何れかに記載のナビゲーション装置。
【請求項５】
前記ナビゲーション装置は、更に入力手段を備え、使用者は前記変更範囲を前記入力手段により設定可能とすることを特徴とする請求項１から４の何れかに記載のナビゲーション装置。
【請求項６】
前記ナビゲーション装置は、前記複数の音声報知毎にランクを設け、前記制御手段は、ランク下位の音声を報知中にランク上位の音声報知の要求があったときは、ランク下位の
音声報知を中断してランク上位の音声報知を行い、前記使用者による前記入力手段の操作に基づき前記中断した音声報知を報知させることを特徴とする請求項１又は５に記載のナビゲーション装置。
【請求項７】
前記ナビゲーション装置は、更に表示部を備え、前記制御手段は、重複する音声報知が同じランクの場合には、何れか一方の音声報知の内容を前記表示部に表示させることを特徴とする請求項１又は６に記載のナビゲーション装置。
【請求項８】
前記制御手段は、前記音声報知内容の表示を開始するときに鳴動を行うことを特徴とする請求項７に記載のナビゲーション装置。
【手続補正２】
【補正対象書類名】明細書
【補正対象項目名】００１１
【補正方法】変更
【補正の内容】
【００１１】
前記課題を解決するために、本願の請求項１に係る発明は、複数の音声報知に係るデータを記憶する第１記憶手段と、走行中に音声報知を要する事象が発生した場合、音声出力手段を介して該事象に応じた音声報知を出力する制御手段と、を有するナビゲーション装置であって、前記ナビゲーション装置は、更に前記複数の音声報知毎の標準開始ポイントである第１開始ポイントと、該第１開始ポイントで出力しようとする音声報知が他の音声報知と重複する場合に開始ポイントを変更できる変更範囲を記憶した第２記憶手段と、を備えたことを特徴とする。
【手続補正３】
【補正対象書類名】明細書
【補正対象項目名】００１２
【補正方法】変更
【補正の内容】
【００１２】
本願の請求項２に係る発明は、前記変更範囲は、前記第１開始ポイントよりも手前で音声報知を行う第２開始ポイントと、前記第１開始ポイントよりも後で音声報知を行う第３開始ポイントであることを特徴とする。
【手続補正４】
【補正対象書類名】明細書
【補正対象項目名】００１３
【補正方法】変更
【補正の内容】
【００１３】
本願の請求項３に係る発明は、前記制御手段は、前記第１開始ポイントで出力しようとする音声報知が前記変更範囲を設けた他の音声報知と重複する場合、該他の音声報知の第１開始ポイントを前記第２開始ポイントまたは第３開始ポイントに変更することを特徴とする。
【手続補正５】
【補正対象書類名】明細書
【補正対象項目名】００１４
【補正方法】変更
【補正の内容】
【００１４】
本願の請求項４に係る発明は、前記制御手段は、前記第１開始ポイントで出力しようとする音声報知が前記変更範囲を設けていない他の音声報知と重複する場合、前記第１開始
ポイントで出力しようとする音声報知が前記変更範囲を設けているのであれば、該音声報知の第１開始ポイントを前記第２開始ポイントまたは第３開始ポイントに変更することを特徴とする。
【手続補正６】
【補正対象書類名】明細書
【補正対象項目名】００１５
【補正方法】変更
【補正の内容】
【００１５】
本願の請求項５に係る発明は、前記ナビゲーション装置は、更に入力手段を備え、使用者は前記変更範囲を前記入力手段により設定可能とすることを特徴とする。
【手続補正７】
【補正対象書類名】明細書
【補正対象項目名】００１６
【補正方法】変更
【補正の内容】
【００１６】
本願の請求項６に係る発明は、前記ナビゲーション装置は、前記音声報知毎にランクを設け、前記制御手段は、ランク下位の音声を報知中にランク上位の音声報知の要求があったときは、ランク下位の音声報知を中断してランク上位の音声報知を行い、前記使用者による前記入力手段の操作に基づき前記中断した音声報知を報知させることを特徴とする。
【手続補正８】
【補正対象書類名】明細書
【補正対象項目名】００１７
【補正方法】変更
【補正の内容】
【００１７】
本願の請求項７に係る発明は、前記ナビゲーション装置は、更に表示部を備え、前記制御手段は、重複する音声報知が同じランクの場合には、何れか一方の音声報知の内容を前記表示部に表示させることを特徴とする。
【手続補正９】
【補正対象書類名】明細書
【補正対象項目名】００１８
【補正方法】変更
【補正の内容】
【００１８】
本願の請求項８に係る発明は、前記制御手段は、前記音声報知内容の表示を開始するときに鳴動を行うことを特徴とする。
【手続補正１０】
【補正対象書類名】明細書
【補正対象項目名】００２０
【補正方法】変更
【補正の内容】
【００２０】
すなわち、請求項１にかかる発明においては、ナビゲーション装置は、更に前記音声報知毎の標準開始ポイントである第１開始ポイントと、該第１開始ポイントで出力しようとする音声報知が他の音声報知と重複する場合に開始ポイントを変更できる変更範囲を記憶した第２記憶手段と、を備える。
【手続補正１１】
【補正対象書類名】明細書
【補正対象項目名】００２４
【補正方法】変更
【補正の内容】
【００２４】
請求項３にかかる発明においては、制御手段は、前記第１開始ポイントで出力しようとする音声報知が前記変更範囲を設けた他の音声報知と重複する場合、該他の音声報知の第１開始ポイントを前記第２開始ポイントまたは第３開始ポイントに変更し、請求項４にかかる発明において、制御手段は、前記第１開始ポイントで出力しようとする音声報知が前記変更範囲を設けていない他の音声報知と重複する場合、前記第１開始ポイントで出力しようとする音声報知が前記変更範囲を設けているのであれば、該音声報知の第１開始ポイントを前記第２開始ポイントまたは第３開始ポイントに変更する。
【手続補正１２】
【補正対象書類名】明細書
【補正対象項目名】００３０
【補正方法】変更
【補正の内容】
【００３０】
請求項７に係る発明においては、制御手段は、重複する音声報知が同じランクの場合には、何れか一方の音声報知の内容を前記表示部に表示させる。